(57)【要約】【課題】木質材料の表面側に複数の耐火板並設層が積層されて構成された耐火構造において、火災時に、木質材料側に位置される耐火板並設層の目地が早期に開いてしまうことを防止できる耐火構造を提供する。【解決手段】木質材料の表面１ａ側に複数の耐火板並設層３，３が積層された耐火層２を備え、一方の耐火板並設層３Ａの表面と他方の耐火板並設層３Ｂの表面との間に到達する目地４，４…の開口４１，４２のうち、木質材料側に位置される一方の耐火板並設層３Ａの目地４の開口４１を覆って当該開口４１の両側に位置する耐火板（石膏ボード３１，３１）の表面に到達するように設けられたメッシュシート６と、メッシュシートの網目開口に入り込んで、当該メッシュシートを一方の耐火板並設層の表面及び他方の耐火板並設層の表面に接着するとともに、一方の耐火板並設層の表面と他方の耐火板並設層の表面とを接着する接着剤７とを備えた。【選択図】図１
2020045666.tif 000002
【特許請求の範囲】
【請求項１】
木質材料の表面に耐火層を備えた耐火構造であって、
耐火層は、複数の耐火板並設層が積層された積層構造により構成され、
耐火板並設層は、目地を介して並ぶように配置された複数の耐火板により構成され、
表面同士が互いに重なり合うように配置された一方の耐火板並設層の表面と他方の耐火板並設層の表面との間に到達する目地の開口のうち、木質材料側に位置される一方の耐火板並設層の目地の開口を覆って当該開口の両側に位置する耐火板の表面に到達するように設けられたメッシュシートと、
メッシュシートの網目開口に入り込んで、当該メッシュシートを一方の耐火板並設層の表面及び他方の耐火板並設層の表面に接着するとともに、一方の耐火板並設層の表面と他方の耐火板並設層の表面とを接着する接着剤とを備えたことを特徴とする耐火構造。
【請求項２】
木質材料の表面に耐火層を備えた耐火構造であって、
耐火層は、複数の耐火板並設層が積層された積層構造により構成され、
耐火板並設層は、隣り合う端面同士を対向させて形成された目地を介して同一平面上に並ぶように配置された複数の耐火板により構成され、
板面同士が互いに重なり合うように配置された一方の耐火板並設層の板面と他方の耐火板並設層の板面との間に到達する目地の開口のうち、木質材料側に位置される一方の耐火板並設層の目地の開口を覆って当該開口の両側に位置する耐火板の板面に到達するように設けられたメッシュシートと、
メッシュシートの網目開口に入り込んで、当該メッシュシートを一方の耐火板並設層の板面及び他方の耐火板並設層の板面に接着するとともに、一方の耐火板並設層の板面と他方の耐火板並設層の板面とを接着する接着剤とを備えたことを特徴とする耐火構造。
【発明の詳細な説明】
【技術分野】
【０００１】
本発明は、複数の耐火板並設層が積層された積層構造により構成された耐火層を備えた耐火構造に関する。
【背景技術】
【０００２】
木造建築物の木質下地の表面に、互いに隣り合う端面同士が接触するように当該端面同士を突き合わせて対向させたことにより形成された目地を介して同一平面上に並べられた複数の合板により構成された合板並設層を設け、当該合板並設層の表面に、互いに隣り合う端面同士が接触するように当該端面同士を突き合わせて対向させたことにより形成された目地を介して同一平面上に並べられた複数の石膏ボードにより構成された耐火板並設層としての第１の石膏ボード並設層を設け、当該第１の石膏ボード並設層の表面にアルミニウムシートを設け、このアルミニウムシートの表面に、隣り合う端面同士が目地を介して同一平面上に並べられた複数の石膏ボードにより構成された耐火板並設層としての第２の石膏ボード並設層を設けた構成の耐火構造が知られている（特許文献１の図１乃至図４等参照）。
【先行技術文献】
【特許文献】
【０００３】
【特許文献１】特開２００４−３６０４４４号公報
【発明の概要】
【発明が解決しようとする課題】
【０００４】
上述した耐火構造では、アルミニウムシートを耐火板並設層としての第１の石膏ボード並設層の室内側の板面に接着剤等で張り付けることによって、当該第１の石膏ボード並設層の室内側の板面に到達する目地の開口を塞ぐようにしている。
しかしながら、当該アルミニウムシートは、一方のシート面が第１の石膏ボード並設層の室内側の板面に接着剤等で接着されているだけなので、接着力が弱く、火災時において、火熱が、第１の石膏ボード並設層に伝達されて、目地を介した両側の第１の石膏ボードが収縮するため、早期に、第１の石膏ボード並設層の目地が開いて、当該目地の開口を塞いでいた部分のアルミニウムシートが破損するので、火熱がこの開いた目地を介して木質下地に到達してしまうという課題があった。
即ち、木質材料により形成された下地等の表面側に複数の耐火板並設層が積層されて構成された耐火層を備えた従来の耐火構造においては、火災時において、木質材料により形成された下地側に位置される耐火板並設層の目地が早期に開いてしまうため、火熱がこの開いた目地を介して木質材料に早期に到達してしまうという課題があった。
本発明は、上記課題を解消すべく、木質材料の表面側に複数の耐火板並設層が積層されて構成された耐火構造において、火災時に、木質材料側に位置される耐火板並設層の目地が早期に開いてしまうことを防止できる耐火構造を提供するものである。
【課題を解決するための手段】
【０００５】
本発明に係る耐火構造は、木質材料の表面側に耐火層を備えた耐火構造であって、耐火層は、複数の耐火板並設層が積層された積層構造により構成され、耐火板並設層は、目地を介して並ぶように配置された複数の耐火板により構成され、表面同士が互いに重なり合うように配置された一方の耐火板並設層の表面と他方の耐火板並設層の表面との間に到達する目地の開口のうち、木質材料側に位置される一方の耐火板並設層の目地の開口を覆って当該開口の両側に位置する耐火板の表面に到達するように設けられたメッシュシートと、メッシュシートの網目開口に入り込んで、当該メッシュシートを一方の耐火板並設層の表面及び他方の耐火板並設層の表面に接着するとともに、一方の耐火板並設層の表面と他方の耐火板並設層の表面とを接着する接着剤とを備えたことを特徴とする。当該耐火構造は、例えば、木質材料が柱躯体、梁躯体、階段躯体等である場合で、当該躯体等の表面側を囲むように耐火層が設けられる場合に適用される耐火構造である。
また、本発明に係る耐火構造は、木質材料の表面側に耐火層を備えた耐火構造であって、耐火層は、複数の耐火板並設層が積層された積層構造により構成され、耐火板並設層は、隣り合う端面同士を対向させて形成された目地を介して同一平面上に並ぶように配置された複数の耐火板により構成され、板面同士が互いに重なり合うように配置された一方の耐火板並設層の板面と他方の耐火板並設層の板面との間に到達する目地の開口のうち、木質材料側に位置される一方の耐火板並設層の目地の開口を覆って当該開口の両側に位置する耐火板の板面に到達するように設けられたメッシュシートと、メッシュシートの網目開口に入り込んで、当該メッシュシートを一方の耐火板並設層の板面及び他方の耐火板並設層の板面に接着するとともに、一方の耐火板並設層の板面と他方の耐火板並設層の板面とを接着する接着剤とを備えたことを特徴とする。当該耐火構造は、例えば、木質材料が壁躯体、床躯体、天井躯体、屋根躯体等である場合で、当該躯体等の平面により形成される表面側に耐火層が設けられる場合に適用される耐火構造である。
本発明に係る耐火構造によれば、木質材料の表面側に複数の耐火板並設層が積層されて構成された耐火構造において、木質材料側に位置される一方の耐火板並設層の目地の開口の両側に位置する耐火板が、接着剤とメッシュシートと他方の耐火板並設層とによって強固に連結された構造となり、火災時において、木質材料側に位置される一方の耐火板並設層の目地が開きにくくなるので、当該目地が早期に開いてしまうことを防止でき、耐火性能を長時間維持できる耐火構造を提供できるようになる。
【図面の簡単な説明】
【０００６】
【図１】実施形態１の耐火構造を示す断面図。
【図２】目地の開口に対応してメッシュテープ（帯状シートメッシュ）が設けられた状態を１層目の耐火板並設層の表面側から見た図。
【図３】耐火層の構築方法を示す図。
【図４】実施形態２の耐火構造を示す断面図。
【図５】実施形態３の耐火構造を示す断面図。
【発明を実施するための形態】
【０００７】
実施形態１
図１乃至図３に示すように、実施形態１の木造建築物の耐火構造は、木質材料により形成された躯体１の表面１ａ側に耐火層２を備えた耐火構造である。
【０００８】
躯体１は、例えば、ＣＬＴ（Cross Laminated Timber（直交集成板））、又は、集成材により形成された主要構造部である。
【０００９】
主要構造部とは、建築基準法第二条の五に「構造耐力上主要な部分」として定められた、「壁、柱、床、梁、屋根又は階段」のことである。
尚、実施形態１（図１，図３）、後述する実施形態２（図４）では、木造建築物の主要構造部を構成する躯体１としての壁躯体の表面１ａ側に耐火層２を備えた耐火構造を例示して説明する。
【００１０】
ＣＬＴとは、農林水産省告示第３０７９号に規定されたように、「ひき板又は小角材（これらをその繊維方向を互いにほぼ平行にして長さ方向に接合接着して調整したものを含む。）をその繊維方向を互いにほぼ平行にして幅方向に並べ又は接着したものを、主としてその繊維方向を互いにほぼ直角にして積層接着し三層以上の構造を持たせた一般材」である。
【００１１】
集成材は、張り合わせる板の繊維方向が並行方向となるように複数の板を張り合わせて構成された木材である。
【００１２】
図１に示すように、耐火層２は、複数の耐火板並設層３，３…が積層された積層構造、例えば、１層目の耐火板並設層３Ａと２層目の耐火板並設層３Ｂとからなる二層の耐火板並設層３，３により構成される。
【００１３】
耐火板並設層３は、互いに隣り合う端面３１ａ，３１ａ同士が接触するように当該端面３１ａ，３１ａ同士を突き合わせて対向させたことにより形成された目地４を介して同一平面上に並ぶように配置された複数の耐火板により構成される。
当該耐火板としては、例えば、石膏ボードや耐熱耐火パネル等を用いればよい。
石膏ボードとしては、例えば、普通石膏ボード、強化石膏ボード、硬質石膏ボード等の石膏ボードを用いればよい。
耐熱耐火パネルは、例えば、水酸化アルミニウム混入火山性ガラス質堆積物板であり、例えば、大建工業株式会社製の「ダイライト（登録商標）」、「ＳＤ耐火パネル」等の耐熱耐火パネルを用いればよい。
【００１４】
実施形態１では、耐火板として、石膏ボード３１を用いた例を示す。
石膏ボード３１は、例えば、端面３１ａにおける一方の板面３１ｆ側は、一方の板面３１ｆと端面３１ａとに繋がる傾斜面（面取り面）に形成されている。
従って、このような石膏ボード３１を用いた場合、互いに隣り合う石膏ボード３１，３１の端面３１ａ，３１ａ同士が突き合わされて形成される目地４の一方の板面３１ｆ側は、例えば断面が三角形状の凹部に形成され、当該凹部が目地４の一方側の開口４１となる。
尚、端面が板面と直交する面で構成されている耐火板を用いる場合には、耐火板の端面同士が突き合わされて形成される目地４の開口は、線状の開口になる。
【００１５】
図１に示すように、耐火層２は、例えば、石膏ボード３１，３１の板面３１ｆ，３１ｆ同士が互いに重なり合うように配置されて形成された１層目の耐火板並設層３Ａと２層目の耐火板並設層３Ｂとの間に、目地開き防止手段５を備えている。
【００１６】
目地開き防止手段５は、石膏ボード３１，３１の板面３１ｆ，３１ｆ同士が互いに重なり合うように配置された１層目の耐火板並設層３Ａの板面３１ｆと２層目の耐火板並設層３Ｂの板面３１ｆとの間に到達する目地４，４…の開口４１，４２のうち、躯体１側に位置される１層目の耐火板並設層３Ａの目地４の開口４１を覆って当該開口４１の両側に位置する石膏ボード３１，３１の板面３１ｆ，３１ｆに到達するように設けられたメッシュシート６と、接着剤７とで形成される。
【００１７】
メッシュシート６は、シート（薄厚）状に形成された網状部材であり、例えば、ガラスやカーボン等の不燃性材料により形成されたメッシュシートを用いればよい。
当該メッシュシート６としては、例えば、図２に示すように、目地４の開口４１に沿って当該開口４１を覆って当該開口４１の両側に位置する石膏ボード３１，３１の板面３１ｆ，３１ｆに到達する幅Ｗを有したメッシュテープ（帯状シートメッシュ）６１を用いればよい。
当該メッシュテープ６１としては、メッシュを構成する複数の線材の一方の面に図外の仮止め用の接着剤が設けられているメッシュテープ、例えば、吉野石膏株式会社製の「タイガーＧファイバーテープ」等を用いればよい。
【００１８】
また、接着剤７としては、耐熱性に優れた無機系接着剤（無機系耐熱接着剤）を用いれば良く、例えば、吉野石膏株式会社製の「タイガートラボンド」等を用いればよい。
【００１９】
次に、図３に基づいて、耐火層２の構築方法について説明する。
まず、図３（ａ），（ｂ）に示すように、躯体１の表面１ａにより形成された同一平面上に、複数の石膏ボード３１，３１…を目地４を介して並ぶように取付けて１層目の耐火板並設層３Ａを形成する。
この場合、例えば、石膏ボード３１の他方の板面３１ｆと躯体１の表面１ａとを突き合わせて対向させた状態で、石膏ボード３１，３１…を躯体１の表面１ａに図外のビス等の固定手段を用いて固定していくことにより、１層目の耐火板並設層３Ａが形成される。
尚、１層目の耐火板並設層３Ａを形成する石膏ボード３１，３１…の他方の板面３１ｆの全面に、接着剤７を塗布した後、石膏ボード３１の他方の板面３１ｆと躯体１の表面１ａとを突き合わせて対向させた状態で、石膏ボード３１，３１…を躯体１の表面１ａに図外のビス等の固定手段を用いて固定していくことにより、１層目の耐火板並設層３Ａを形成するようにしてもよい。
【００２０】
次に、図３（ｂ）に示すように、１層目の耐火板並設層３Ａの一方の板面３１ｆ側、即ち、１層目の耐火板並設層３Ａの表面側に位置される目地４の開口４１に沿って当該開口４１を覆って当該開口４１の両側に位置する石膏ボード３１，３１の板面３１ｆ，３１ｆに到達するように、メッシュテープ６１を取付ける（図２参照）。
即ち、当該メッシュテープ６１の一方の面と目地４の開口４１の両側に位置する石膏ボード３１，３１の板面３１ｆ，３１ｆとが上述した仮止め用の接着剤により仮止めされるように、メッシュテープ６１を取付ける。
【００２１】
次に、図３（ｃ），（ｄ）に示すように、１層目の耐火板並設層３Ａの一方の板面３１ｆ、即ち、１層目の耐火板並設層３Ａの表面により形成された同一平面上に、複数の石膏ボード３１，３１…を目地４を介して並ぶように取付けて２層目の耐火板並設層３Ｂを形成する。
この２層目の耐火板並設層３Ｂを形成する際には、例えば、１層目の耐火板並設層３Ａの一方の板面３１ｆと対向させる２層目の耐火板並設層３Ｂを形成する石膏ボード３１，３１…の他方の板面３１ｆの全面に、接着剤７を塗布した後、２層目の耐火板並設層３Ｂを形成する石膏ボード３１の他方の板面３１ｆを１層目の耐火板並設層３Ａの一方の板面３１ｆに押し付けていくことにより、２層目の耐火板並設層３Ｂを形成する石膏ボード３１，３１…が１層目の耐火板並設層３Ａの表面（一方の板面３１ｆ，３１ｆ…）に接着剤７を介して取付けられて、２層目の耐火板並設層３Ｂが形成される。
さらに、図外のビス等の固定手段を用いて、当該２層目の耐火板並設層３Ｂを形成する石膏ボード３１，３１…を躯体１に固定するようにしてもよい。
【００２２】
尚、１層目の耐火板並設層３Ａの目地４と２層目の耐火板並設層３Ｂの目地４とが連続しないように施工する。即ち、１層目の耐火板並設層３を形成する石膏ボード３１，３１…の端面３１ａ，３１ａ…と２層目の耐火板並設層３Ｂを形成する石膏ボード３１，３１…の端面３１ａ，３１ａ…とが同一平面上に位置しないように、１層目の耐火板並設層３を形成する石膏ボード３１と２層目の耐火板並設層３Ｂを形成する石膏ボード３１とが互い違いになる様に取付ける。
また、目地４の一方側の開口４１が例えば断面三角形状の凹部に形成されている場合には、当該凹部が目地４の一方側の開口４１となる。この場合、当該開口４１を覆って当該開口４１の両側に位置する石膏ボード３１，３１の板面３１ｆ，３１ｆに到達するように、メッシュテープ６１を仮止めした後、メッシュテープ６１の表面側から当該開口４１内に接着剤７が充填されるように塗布し、その後、２層目の耐火板並設層３Ｂを形成する石膏ボード３１，３１…の他方の板面３１ｆの全面に、接着剤７を塗布してから、当該石膏ボード３１，３１…を１層目の耐火板並設層３Ａの表面に取付けて行くことが好ましい。
【００２３】
以上により、１層目の耐火板並設層３Ａの板面３１ｆと２層目の耐火板並設層３Ａの板面３１ｆとの間に到達する目地４の開口４１，４２のうち、躯体１側に位置される１層目の耐火板並設層３Ａの目地４の開口４１の開きを防止する目地開き防止手段５が、メッシュテープ６１と接着剤７とによって構成されることになる。
【００２４】
このように、耐火層２が目地開き防止手段５を備えた構成によれば、１層目の耐火板並設層３Ａの表面側（室内側）に位置される目地４の開口４１に沿って当該開口４１を覆って当該開口４１の両側に位置する石膏ボード３１，３１…板面３１ｆ，３１ｆに仮止めされたメッシュテープ６１の網目開口に入り込んだ接着剤７が、当該メッシュテープ６１を１層目の耐火板並設層３Ａの板面３１ｆ（目地４の一方側の開口４１が凹部に形成されている場合には、当該凹部の内面も含む）及び２層目の耐火板並設層３Ｂの板面３１ｆに接着するとともに、１層目の耐火板並設層３Ａの板面３１ｆと２層目の耐火板並設層３Ｂの板面３１ｆとを接着する。
さらに、メッシュテープ６１が存在しない場所においても、１層目の耐火板並設層３Ａの板面３１ｆと２層目の耐火板並設層３Ｂの板面３１ｆとが接着剤７により全面接着される。
【００２５】
即ち、躯体１側に位置される１層目の耐火板並設層３Ａの目地４の開口４１を覆って当該開口４１の両側に位置する石膏ボード３１，３１…板面３１ｆ，３１ｆに到達するように設けられたメッシュテープ６１が、１層目の耐火板並設層３Ａの板面３１ｆと２層目の耐火板並設層３Ｂの板面３１ｆとの間に挟まれた状態で、１層目の耐火板並設層３Ａの板面３１ｆ（目地４の一方側の開口４１が凹部に形成されている場合には、当該凹部の内面も含む）と２層目の耐火板並設層３Ｂの板面３１ｆとが、メッシュテープ６１の網目開口に入り込んだ接着剤７により接着される。つまり、メッシュテープ６１の網目開口に接着剤７が入り込み、その結果、接着剤７がメッシュテープ６１を挟んで１層目の耐火板並設層３Ａの石膏ボード３１と２層目の耐火板並設層３Ｂの石膏ボード３１とを一体化した接着構造となる。さらに、当該メッシュテープ６１のテープの幅方向両縁の外側に位置される１層目の耐火板並設層３Ａの板面３１ｆと２層目の耐火板並設層３Ｂの板面３１ｆとが接着剤７により接着される。
【００２６】
実施形態１によれば、躯体１側に位置される１層目の耐火板並設層３Ａの目地４の開口４１の両側に位置する石膏ボード３１，３１が、接着剤７とメッシュテープ６１と２層目の耐火板並設層とによって強固に連結された構造となり、火災時において、躯体１側に位置される１層目の耐火板並設層３Ａの目地４が開きにくくなるので、当該目地４が早期に開いてしまうことを防止でき、耐火性能を長時間維持できる木造建築物の耐火構造を提供できるようになる。
【００２７】
また、実施形態１によれば、耐火層２が目地開き防止手段５を備えたので、耐火層２の層厚を薄くできることから、コスト削減できるとともに、室内空間を広くでき、かつ、耐火性能を向上できる耐火構造を実現できるようになる。
【００２８】
実施形態２
図４に示すように、耐火層２が、１層目の耐火板並設層３Ａと２層目の耐火板並設層３Ｂと３層目の耐火板並設層３Ｃとからなる三層の耐火板並設層３，３，３により構成された耐火構造としてもよい。
この場合、躯体１としての壁躯体の表面１ａ側に耐火層２を備え、当該耐火層２が、板面３１ｆ，３１ｆ同士が互いに重なり合うように配置された一方の耐火板並設層の板面３１ｆと他方の耐火板並設層の板面３１ｆとの間に到達する目地の開口のうち、木質材料側に位置される耐火板並設層（図４に示す２層目の耐火板並設層３Ｂ及び３層目の耐火板並設層３Ｃ）の目地４の開口４１を覆って当該開口４１の両側に位置する石膏ボード（耐火板）３１，３１の板面３１ｆ，３１ｆに到達するように設けられたメッシュテープ６１と、メッシュテープ６１の網目開口に入り込んで、当該メッシュテープ６１を、一方の耐火板並設層の板面（目地４の一方側の開口４１が凹部に形成されている場合には、当該凹部の内面も含む）及び他方の耐火板並設層の板面に接着するとともに、一方の耐火板並設層の板面と他方の耐火板並設層の板面とを接着する接着剤７とで形成された目地開き防止手段５を備えた構成とすればよい。
また、耐火層２が、四層以上の耐火板並設層３，３…により構成された耐火構造であって、目地開き防止手段５を備えた構成としてもよい。
【００２９】
尚、実施形態１及び実施形態２の耐火構造は、例えば、木質材料が床躯体、天井躯体、屋根躯体等である場合において、当該躯体等の平面により形成される表面１ａ側に耐火層２が設けられる場合に適用可能である。
【００３０】
実施形態３
実施形態１，２によれば、木質材料により形成された躯体１としての壁躯体等の表面１ａ側に耐火層２を備えた耐火構造を例示したが、図５に示すように、木質材料により形成された躯体１としての柱躯体の表面１ａ側に耐火層２を備えた耐火構造としてもよい。
この場合、柱躯体の４隅に対応する１層目の耐火板並設層３Ａの出隅３１ｅ，３１e…は、互いに隣り合う柱躯体の側面に取付けられる一方の石膏ボード（耐火板）３１の端面３１ａ側の板面３１ｆと他方の石膏ボード（耐火板）３１の端面３１ａとが突き合わされることによって形成され、この一方の石膏ボード３１の端面３１ａ側の板面３１ｆと他方の石膏ボード３１の端面３１ａとの突き合わせにより形成される目地４の目地開きを防止するための目地開き防止手段５を設けた構成とすればよい。この場合、目地開き防止手段５は、出隅３１ｅを介して隣り合う耐火板並設層３Ａの各側面（板面３１ｆ，３１ｆ）に亘って設けるようにすれば、接着剤７による、メッシュテープ６１と１層目の耐火板並設層３Ａの石膏ボード３１と２層目の耐火板並設層３Ｂの石膏ボード３１との一体化接着構造がより強固となるので、好ましい。
【００３１】
即ち、実施形態３に係る、躯体１としての柱躯体の表面１ａ側に耐火層２を備えた耐火構造は、耐火層２は、複数の耐火板並設層が積層された積層構造により構成されて目地開き防止手段５を備え、各耐火板並設層３Ａ，３Ｂは、目地４を介して並ぶように配置された複数の耐火板により構成され、目地開き防止手段５は、表面同士が互いに重なり合うように配置された一方の耐火板並設層３Ａの室内側の表面と他方の耐火板並設層３Ｂの柱躯体側の表面との間に到達する目地４の開口のうち、柱躯体側に位置される一方の耐火板並設層３Ａの目地４の開口４１を覆って当該開口４１（尚、当該目地４の開口４１は、線状の開口になる。）の両側に位置する耐火板の表面（一方の石膏ボード３１の端面３１ａ側の板面３１ｆと他方の石膏ボード３１の端面３１ａ）に到達するように設けられたメッシュテープ６１と、メッシュテープ６１の網目開口に入り込んで、当該メッシュテープ６１を一方の耐火板並設層３Ａの室内側の表面及び他方の耐火板並設層３Ｂの柱躯体側の表面に接着するとともに、一方の耐火板並設層３Ａの室内側の表面と他方の耐火板並設層３Ｂの柱躯体側の表面とを接着する接着剤７とを備えた構成とした。
【００３２】
また、躯体１としての柱躯体の表面１ａ側に耐火層２を備えた実施形態３の耐火構造において、耐火層２が、四層以上の耐火板並設層３，３…により構成された耐火構造であって、目地開き防止手段５を備えた構成としてもよい。
【００３３】
尚、実施形態３の耐火構造は、例えば、木質材料が梁躯体、階段躯体等である場合において、当該躯体等の表面１ａ側を囲むように耐火層２が設けられる場合に適用可能である。
【００３４】
また、上記各実施形態では、垂直方向に延長する縦目地の目地開きを防止するための目地開き防止手段５を設ける場合について説明したが、水平方向に延長する横目地が形成される場合においては、この横目地の目地開きを防止するための目地開き防止手段５を設ければよい。
【００３５】
また、木質材料により形成された壁下地、床下地、天井下地等の木質下地の表面側に耐火層２を備えた耐火構造としてもよい。この場合、木質下地の表面側に複数の合板を並べて形成された合板並設層を設けて、この合板並設層の表面側に耐火層２を備えた耐火構造としてもよい。
【００３６】
また、上記では、木造建築物の耐火構造を例示したが、本発明の耐火構造は、木質材料の表面側に上述した耐火層２を備えて構成されていればよく、木造建築物以外の様々な木造物にも適用可能である。
【００３７】
また、木質材料は、木以外の可燃性の材料であってもよい。
【符号の説明】
【００３８】
１  躯体（木質材料）、２  耐火層、３，３Ａ，３Ｂ，３Ｃ  耐火板並設層、
４  目地、６  メッシュシート、７  接着剤、３１  石膏ボード（耐火板）、
４１  目地の開口、６１  メッシュテープ。
【図１】
2020045666.tif 000003
【図２】
2020045666.tif 000004
【図３】
2020045666.tif 000005
【図４】
2020045666.tif 000006
【図５】
2020045666.tif 000007